(57)【要約】【課題】内蔵した電池の電圧が所定閾値以下となった場合において、ユーザの所望とする情報を不揮発性表示部に表示することができる携帯型表示端末及びプログラムを提供する。【解決手段】電池を動作電源として動作し、前記電池からの電力供給が断たれたときでも表示状態を維持する不揮発性表示部と、前記不揮発性表示部を駆動して、前記不揮発性表示部に情報を表示する制御部と、前記不揮発性表示部に表示する情報を記憶する記憶部と、前記記憶部に記憶された情報のうち１以上の情報を指定する情報指定部と、を備え、前記制御部は、前記電池の電圧が所定閾値以下となったとき、前記不揮発性表示部に表示する情報を、前記情報指定部により指定された情報に書き換えることとした。【選択図】図３
2010086089.tif 000002
【特許請求の範囲】
【請求項１】
電池を動作電源として動作し、前記電池からの電力供給が断たれたときでも表示状態を維持する不揮発性表示部と、
前記不揮発性表示部を駆動して、前記不揮発性表示部に情報を表示する制御部と、
前記不揮発性表示部に表示する情報を記憶する記憶部と、
前記記憶部に記憶された情報のうち１以上の情報を指定する情報指定部と、を備え、
前記制御部は、前記電池の電圧が所定閾値以下となったとき、前記不揮発性表示部に表示する情報を、前記情報指定部により指定された情報に書き換えることを特徴とする携帯型表示端末。
【請求項２】
前記制御部は、前記不揮発性表示部に表示する情報を前記指定された情報に書き換えた後、自装置を電源オフ状態に移行することを特徴とする請求項１に記載の携帯型表示端末。
【請求項３】
前記情報指定部により指定された情報に対する優先度を記憶する優先度記憶部と、
自装置を電源オフ状態から電源オン状態へ移行させる操作部とを備え、
前記制御部は、前記指定された情報が複数あるとき、前記電池の電圧が前記所定閾値以下となると、前記不揮発性表示部に表示する情報を前記指定された複数の情報のうち優先度が最も高い情報に書き換えて自装置を電源オフ状態に移行し、その後、前記操作部が操作されたときに前記電池の電圧が前記所定閾値以下であるときには、前記不揮発性表示部に表示する情報を前記指定された複数の情報のうち優先度が次に高い情報に書き換える請求項２に記載の携帯型表示端末。
【請求項４】
前記制御部は、前記電池の電圧が所定閾値以下となって前記不揮発性表示部に表示する情報を前記情報指定部により指定された情報に書き換えた後、前記電池の電圧が前記所定閾値よりも低い第２閾値以下となったときに電源オフ状態に移行することを特徴とする請求項１に記載の携帯型表示端末。
【請求項５】
自装置を電源オン状態から電源オフ状態へ移行させる操作部を備え、
前記制御部は、前記電池の電圧が前記所定閾値以下となり、前記操作部が操作されたときに、前記不揮発性表示部に表示する情報を前記情報指定部により指定された情報に書き換え、電源オフ状態に移行することを特徴とする請求項１に記載の携帯型表示端末。
【請求項６】
前記制御部は、前記指定された情報が複数あるとき、前記不揮発性表示部の表示領域を前記指定された情報の数に応じて分割して、各分割領域に前記情報を表示することを特徴とする請求項１〜５のいずれか１項に記載の携帯型表示端末。
【請求項７】
前記不揮発性表示部に表示する情報を前記指定された情報に書き換える直前に前記不揮発性表示部に表示していた情報又は当該情報を識別する情報を記憶する第２記憶部と、
前記電池を充電する充電部と、を備え、
前記制御部は、前記不揮発性表示部に表示する情報を前記情報指定部により指定された情報に書き換えて電源オフ状態に移行した後、前記充電部により電池の充電が開始されたとき、前記第２記憶部に記憶した情報に基づいて前記不揮発性表示部の表示を書き換えることを特徴とする請求項１〜６のいずれか１項に記載の携帯型表示端末。
【請求項８】
前記制御部は、前記指定された情報が複数ページの情報であるとき、当該複数ページのうち一つのページを選択して前記不揮発性表示部に表示することを特徴とする請求項１〜７のいずれか１項に記載の携帯型表示端末。
【請求項９】
前記制御部は、前記複数ページのうち前記不揮発性表示部に最後に表示したページを前記選択するページとすることを特徴とする請求項８に記載の携帯型表示端末。
【請求項１０】
前記不揮発性表示部に表示したページにマーキング情報を付加するマーキング付加部を備え、
前記制御部は、前記複数ページのうち前記マーキング情報を付加したページを前記選択するページとすることを特徴とする請求項８又は請求項９に記載の携帯型表示端末。
【請求項１１】
前記記憶部に記憶する情報として、ユーザのプロフィール、自装置の所属情報、自装置のシリアルナンバーのうち少なくともいずれか１つの情報を含むことを特徴とする請求項１〜１０のいずれか１項に記載の携帯型表示端末。
【請求項１２】
請求項１〜１１のいずれか１項に記載の携帯型表示端末における前記制御部の機能をコンピュータに実行させるプログラム。
【発明の詳細な説明】
【技術分野】
【０００１】
本発明は、携帯型表示端末及びプログラムに関するものであり、電源からの電力供給が断たれたときでも表示を維持する携帯型表示端末及びプログラムに関するものである。
【背景技術】
【０００２】
従来、電源からの電力供給が断たれたときにおいても表示状態を保持する不揮発性表示部を備えた電子ペーパー等の携帯型表示端末が使用されている（例えば、特許文献１参照）。このような携帯型表示端末では、電源オン状態から電源オフ状態となる直前において不揮発性表示部に表示されている情報をそのまま維持することによって、内蔵した電池の残量が不足して電源オン状態から電源オフ状態に移行した後においても、表示されていた情報をユーザに対して閲覧可能に表示させることができる。
【０００３】
一般に携帯型表示端末においては、電池の残量が少なくなったことを警告するようにしており、これによりユーザはもう少しで使用できなくなることを把握することができる（例えば、特許文献２参照）。
【特許文献１】特開２００７−１８７９２７号公報
【特許文献２】特開平１０−２３３０９号公報
【発明の開示】
【発明が解決しようとする課題】
【０００４】
しかしながら、上記従来の携帯型表示端末では、電池の残量が少なくなったことは把握できるものの、あとどのくらいの時間で電池残量が不足することになるのかを正確に把握することができない。
【０００５】
従って、電池の残量が少なくなったことの警告があった後、ユーザがさらに携帯型表示端末を使用しているときに突然電源オフ状態になると、ユーザが所望しない表示が維持されてしまう場合がある。
【０００６】
本発明は、上述したような課題に鑑みてなされたものであり、内蔵した電池の電圧が所定閾値以下となった場合において、ユーザの所望とする情報を不揮発性表示部に表示することができる携帯型表示端末及びプログラムを提供することを目的とする。
【課題を解決するための手段】
【０００７】
以上のような目的を達成するために、本発明は、以下のようなものを提供する。
【０００８】
すなわち、請求項１記載の本発明では、電池を動作電源として動作し、前記電池からの電力供給が断たれたときでも表示状態を維持する不揮発性表示部と、前記不揮発性表示部を駆動して、前記不揮発性表示部に情報を表示する制御部と、前記不揮発性表示部に表示する情報を記憶する記憶部と、前記記憶部に記憶された情報のうち１以上の情報を指定する情報指定部と、を備え、前記制御部は、前記電池の電圧が所定閾値以下となったとき、前記不揮発性表示部に表示する情報を、前記情報指定部により指定された情報に書き換えることを特徴とするものである。
【０００９】
また、請求項２記載の本発明では、請求項１に記載の発明において、前記制御部は、前記不揮発性表示部に表示する情報を前記指定された情報に書き換えた後、自装置を電源オフ状態に移行することを特徴とするものである。
【００１０】
また、請求項３記載の本発明では、請求項２に記載の発明において、前記情報指定部により指定された情報に対する優先度を記憶する優先度記憶部と、自装置を電源オフ状態から電源オン状態へ移行させる操作部とを備え、前記制御部は、前記指定された情報が複数あるとき、前記電池の電圧が前記所定閾値以下となると、前記不揮発性表示部に表示する情報を前記指定された複数の情報のうち優先度が最も高い情報に書き換えて自装置を電源オフ状態に移行し、その後、前記操作部が操作されたときに前記電池の電圧が前記所定閾値以下であるときには、前記不揮発性表示部に表示する情報を前記指定された複数の情報のうち優先度が次に高い情報に書き換えることを特徴とするものである。
【００１１】
また、請求項４記載の本発明では、請求項１に記載の発明において、前記制御部は、前記電池の電圧が所定閾値以下となって前記不揮発性表示部に表示する情報を前記情報指定部により指定された情報に書き換えた後、前記電池の電圧が前記所定閾値よりも低い第２閾値以下となったときに電源オフ状態に移行することを特徴とするものである。
【００１２】
また、請求項５記載の本発明では、請求項１に記載の発明において、自装置を電源オン状態から電源オフ状態へ移行させる操作部を備え、前記制御部は、前記電池の電圧が前記所定閾値以下となり、前記操作部が操作されたときに、前記不揮発性表示部に表示する情報を前記情報指定部により指定された情報に書き換え、電源オフ状態に移行することを特徴とするものである。
【００１３】
また、請求項６記載の本発明では、請求項１から５のいずれかに記載の発明において、前記制御部は、前記指定された情報が複数あるとき、前記不揮発性表示部の表示領域を前記指定された情報の数に応じて分割して、各分割領域に前記情報を表示することを特徴とするものである。
【００１４】
また、請求項７記載の本発明では、請求項１から６のいずれかに記載の発明において、前記不揮発性表示部に表示する情報を前記指定された情報に書き換える直前に前記不揮発性表示部に表示していた情報又は当該情報を識別する情報を記憶する第２記憶部と、前記電池を充電する充電部と、を備え、前記制御部は、前記不揮発性表示部に表示する情報を前記情報指定部により指定された情報に書き換えて電源オフ状態に移行した後、前記充電部により電池の充電が開始されたとき、前記第２記憶部に記憶した情報に基づいて前記不揮発性表示部の表示を書き換えることを特徴とするものである。
【００１５】
また、請求項８記載の本発明では、請求項１から７のいずれかに記載の発明において、前記制御部は、前記指定された情報が複数ページの情報であるとき、当該複数ページのうち一つのページを選択して前記不揮発性表示部に表示することを特徴とするものである。
【００１６】
また、請求項９記載の本発明では、請求項８に記載の発明において、前記制御部は、前記複数ページのうち前記不揮発性表示部に最後に表示したページを前記選択するページとすることを特徴とするものである。
【００１７】
また、請求項１０記載の本発明では、請求項８又は請求項９に記載の発明において、前記不揮発性表示部に表示したページにマーキング情報を付加するマーキング付加部を備え、前記制御部は、前記複数ページのうち前記マーキング情報を付加したページを前記選択するページとすることを特徴とするものである。
【００１８】
また、請求項１１に記載の本発明では、請求項１から１０のいずれかに記載の発明において、前記記憶部に記憶する情報として、ユーザのプロフィール、自装置の所属情報、自装置のシリアルナンバーのうち少なくともいずれか１つの情報を含むことを特徴とするものである。
【００１９】
また、請求項１２に記載の本発明では、請求項１から１１のいずれかに記載の携帯型表示端末における前記制御部の機能をコンピュータに実行させるものである。
【発明の効果】
【００２０】
請求項１又は請求項１１に係る発明では、電池の電圧が所定閾値以下となったとき、不揮発性表示部に表示する情報を、情報指定部により指定された情報に書き換える。従って、電池残量が少ない場合において、指定された情報（例えば、ユーザの所望とする情報）を不揮発性表示部に表示することができ、ユーザが所望しない表示が揮発性表示部に維持されてしまう状態を防止することができる。
【００２１】
また、請求項２に係る発明では、制御部は、不揮発性表示部に表示する情報を指定された情報に書き換えた後、自装置を電源オフ状態に移行することとした。従って、不揮発性表示部に指定された情報を表示しながらも、消費電力を可及的少なくすることができる。
【００２２】
また、請求項３に係る発明では、情報指定部により指定された情報に対する優先度を記憶する優先度記憶部と、自装置を電源オフ状態から電源オン状態へ移行させる操作部とを備え、制御部は、指定された情報が複数あるとき、電池の電圧が所定閾値以下となると、不揮発性表示部に表示する情報を前記指定された複数の情報のうち優先度が最も高い情報に書き換えて自装置を電源オフ状態に移行し、その後、操作部が操作されたときに電池の電圧が所定閾値以下であるときには、不揮発性表示部に表示する情報を指定された複数の情報のうち優先度が次に高い情報に書き換えることとした。従って、消費電力を可及的少なくしながらも、複数の指定された情報を、不揮発性表示部に優先度の高い順に表示させることができる。
【００２３】
また、請求項４に係る発明では、制御部は、電池の電圧が所定閾値以下となって不揮発性表示部に表示する情報を情報指定部により指定された情報に書き換えた後、電池の電圧が所定閾値よりも低い第２閾値以下となったときに電源オフ状態に移行することとした。従って、電池の電圧が所定閾値を下回った場合でも、電源オフ状態に移行することなく指定された情報を不揮発性表示部に表示させることができる。
【００２４】
また、請求項５に係る発明では、自装置を電源オン状態から電源オフ状態へ移行させる操作部を備え、制御部は、電池の電圧が所定閾値以下となり、操作部が操作されたときに、不揮発性表示部に表示する情報を情報指定部により指定された情報に書き換え、電源オフ状態に移行することとした。従って、電池の電圧が所定閾値以下となったときに、不揮発性表示部に表示する情報を書き換えるタイミングをユーザの操作によって決定することができる。
【００２５】
また、請求項６に係る発明では、制御部は、指定された情報が複数あるとき、不揮発性表示部の表示領域を指定された情報の数に応じて分割して、各分割領域に情報を表示することとした。従って、不揮発性表示部に複数の情報を同時に表示することができ、多くの情報を使用者に視認させることができる。
【００２６】
また、請求項７に係る発明では、不揮発性表示部に表示する情報を指定された情報に書き換える直前に不揮発性表示部に表示していた情報又は当該情報を識別する情報を記憶する第２記憶部と、電池を充電する充電部と、を備え、制御部は、不揮発性表示部に表示する情報を情報指定部により指定された情報に書き換えて電源オフ状態に移行した後、充電部により電池の充電が開始されたとき、第２記憶部に記憶した情報に基づいて不揮発性表示部の表示を書き換えることとした。従って、指定された情報に書き換える直前に不揮発性表示部に表示していた情報を、再び不揮発性表示部に表示させるために、ユーザが探し出す手間を省くことができる。
【００２７】
また、請求項８に係る発明では、制御部は、指定された情報が複数ページの情報であるとき、当該複数ページのうち一つのページを選択して不揮発性表示部に表示することとした。従って、ユーザは、電池残量が少ない場合においても選択された一つのページを視認することができる。
【００２８】
また、請求項９に係る発明では、制御部は、複数ページのうち不揮発性表示部に最後に表示したページを選択するページとすることとした。従って、電池残量が少ない場合においても、ユーザが直近に必要とした情報を不揮発性表示部に表示させることができる。
【００２９】
また、請求項１０に係る発明では、不揮発性表示部に表示したページにマーキング情報を付加するマーキング付加部を備え、制御部は、複数ページのうちマーキング情報を付加したページを選択するページとすることとした。従って、電池残量が少ない場合においても、ユーザが着目した情報を備えるページを不揮発性表示部に表示させることができる。
【００３０】
さらに、請求項１１に係る発明では、記憶部に記憶する情報として、ユーザのプロフィール、自装置の所属情報、自装置のシリアルナンバーのうち少なくともいずれか１つの情報を含むこととした。従って、電池残量が少ない場合においても、ユーザの個人情報や自装置固有の情報を不揮発性表示部に表示させることができる。
【発明を実施するための最良の形態】
【００３１】
以下、本発明の一の実施の形態について図面を参照して説明する。尚、本発明は、内蔵した電池の電圧が所定閾値以下となった場合において、ユーザの所望とする情報を不揮発性表示部に表示する制御に関するものであり、以下の実施形態における携帯型表示端末１に採用する。
【００３２】
〔１．携帯型表示端末の概要〕
まず、図１を参照して、携帯型表示端末１の外観及び主な動作について説明する。図１は、携帯型表示端末１の正面図である。
【００３３】
図１に示すように、携帯型表示端末１は、略直方体形状をしており、その正面には電気泳動表示装置２が設けられている。また、この携帯型表示端末１の右側面には、メモリカード１３を挿入可能に形成したカードスロット５が設けられている。
【００３４】
電気泳動表示装置２は、後に詳述するが、所定の分散媒中に分散された荷電粒子を電気泳動させることにより表示を行う装置であり、電力の供給が断たれた場合であっても、その表示を維持することができるという特徴的な性質を有する不揮発性表示部である。このため、電源オフ状態であっても維持（保持）された情報を視認可能となり、省電力を図ることもできる。本実施形態においては、電気泳動表示装置２を不揮発性表示部の一例として説明するが、これに限らず、不揮発性表示部として光学異方性方式（コレステリック液晶表示装置、強誘電性液晶など）の表示装置、粒子回転方式の表示装置、粒子移動方式の表示装置なども用いることができる。
【００３５】
携帯型表示端末１では、メモリカード１３に記憶されている各種情報を電気泳動表示装置２に表示させることができる。尚、本実施の形態における「情報」では、文字、静止画像及び動画のうちの少なくとも１つを表示することができる。これらの「情報」は、文字を表示させるためのデータ、画像を表示させるためのデータ及び動画を表示させるためのデータのうちの少なくとも１つのデータで構成されるものであり、例えば、パソコン等で使用される文書ファイルや画像ファイル、動画ファイル等と解することができる。「情報」は、以下において上述の文書ファイルや画像ファイル、動画ファイル等であるものとし説明するとともに、これらの「情報」を総称して単に「ファイル」という場合がある。
【００３６】
このメモリカード１３は、一般にEEPROM（電気的に消去可能なPROM, Electrically Erasable Programmable ROM）と呼ばれるものであり、前記電気泳動表示装置２に表示するファイルなどを記憶する記憶部として機能するものである。
【００３７】
そして、電気泳動表示装置２の右側には、ユーザによって操作可能な操作部としての操作キー３が設けられている。決定キー３ａの上下左右にはそれぞれ、上キー３ｂ，下キー３ｃ，左キー３ｄ，右キー３ｅが設けられている。
【００３８】
例えば、上キー３ｂ及び下キー３ｃは、ファイル一覧画面やメニュー画面においてユーザがファイルを選択したり、画面上に出現するボタン等（以下、単にアイコンという）の操作をするためのキーであり、左キー３ｄ及び右キー３ｅは表示されているファイルのページめくりを行うためのキーである。これらの操作キー３を電気泳動表示装置２に表示したファイルに応じて操作することにより、メモリカード１３に記憶されているファイルを表示させたり、各種設定の指示がなされたりする。
【００３９】
また、携帯型表示端末１には、充電可能な電池６が備えられており、この電池６により電源が供給されて携帯型表示端末１は動作することができるように構成している。
【００４０】
また、操作キー３として電源ボタン３ｆが設けられており、ユーザはこの電源ボタン３ｆの押下により電源の入り切りを指示できる。電源が切られている状態で電源ボタン３ｆが押下されたり、操作キー３が押下されたりすると、「電源投入」の指示とされ、ＣＰＵ１０及び周辺機器への電力供給が行われ、携帯型表示端末１は稼働状態となる。一方、電源が入っている状態で電源ボタン３ｆが押下されると、「電源切断」の指示とされ、電源を切るための処理が行われて、ＣＰＵ１０及び周辺機器への電力供給が断たれる。また、ユーザからの操作が所定時間（電源オフ設定時間）行われなかった場合にも、携帯型表示端末１は使用されていない状態であるとして、電源を切るための処理が行われて、ＣＰＵ１０及び周辺機器への電力供給が断たれる。
【００４１】
そして、本実施形態の携帯型表示端末１は、前述の操作キー３により、メモリカード１３に記憶されたファイルのうち１以上のファイルを予め指定しておくことにより、電池６の電圧が所定閾値以下となった際に、電気泳動表示装置２の表示を指定したファイル（以下、指定ファイルという。）で書き換える。
【００４２】
ここではまず、本実施形態に特徴的な指定ファイルの表示について概要を簡単に述べる。具体的な構成や処理ステップについては、本概要と一部重複する部分もあるが、後にさらに詳細に述べることとする。
【００４３】
なお、本実施形態における「電源オフ状態」とは、電池６からの電力が携帯型表示端末１に供給可能な状態であっても、電源ボタン３ｆの押下、所定時間の未操作等の特定の操作により、電気泳動表示装置２、ＣＰＵ１０、周辺装置（ＲＡＭ１２，表示コントローラ１４などの各コントローラ等）などの少なくともいずれかへの電力を供給できない状態である。
【００４４】
〔２．指定ファイルを表示するまでの簡単な流れ〕
まず図２に示すように、ユーザは電池６の電圧が所定閾値以下となった際に電気泳動表示装置２に表示させたいファイルを予め指定しておく作業を行う。なお、図２は、指定ファイルの選択画面を示している。
【００４５】
特に、図２では、電気泳動表示装置２上に「今日の日記」、「Ｍｙプロフィール」、「行き先地図」、「プレゼン資料」の中からユーザが所望するファイルを、上キー３ｂや下キー３ｃでカーソル２１を移動させることにより選択可能としており、決定キー３ａを押下することでファイルを指定することができる。図２では、指定ファイルとして「行き先地図」を指定した状態を示している。
【００４６】
このように指定ファイルを指定した後に、図３（ａ）に示す如く、ユーザが所望するファイル（図３（ａ）ではマーケティング戦略の資料）をメモリカード１３から読み出して携帯型表示端末１を使用し始めたとする。なお、図３（ａ）は使用開始直後の満充電の状態を示しており、図３（ｂ）は図３（ａ）の状態に比してやや電池残量が減少した状態を示しており、図３（ｃ）は、図３（ｂ）の状態に比してさらに電池残量が少なくなった状態を示している。また、図３（ａ）〜（ｃ）中、電気泳動表示装置２の下部には、電池６の残量を示している。
【００４７】
すると、ユーザが電気泳動表示装置２に表示する画像の切替を行うに従って、図３（ｂ）に示すように、電池残量が徐々に減少することとなる。
【００４８】
そして、図３（ｃ）に示すように、電池残量が僅かな状態となると、電池６の電圧が所定の閾値以下となることを契機に、電気泳動表示装置２に表示されていた画像は、図３（ｄ）に示すように、図２の説明で指定した指定ファイルによる画像に書き換えられることとなる。なお、以下の説明において、ユーザが閲覧していた画像に代えて、指定ファイルに基づく情報に書き換えられることを「遷移」と表現する場合がある。
【００４９】
この際、携帯型表示端末１では、図４に示すような処理を行っている。なお、この図４に示すフローは、本実施形態に係る携帯型表示端末１の動作を容易に理解するためのものであり、より詳細なフローに関しては後に説明する。
【００５０】
ステップＳ１に示すように、携帯型表示端末１の制御部内では、所定の閾値Ｖａが設定されており、電池６から供給される電圧Ｖｂが閾値Ｖａを以下となったか否かについて判断を行っている。
【００５１】
すなわち、図５に示すように、電池６の電圧が携帯型表示端末１の使用や時間の経過に伴って降下するが、この電圧が閾値Ｖａ以下となったか否かについて判断している。
【００５２】
ここで、制御部が、電圧Ｖｂは閾値Ｖａ以下となっていないと判断した場合（ステップＳ１：Ｎｏ）には、再びステップＳ１の処理を行う。
【００５３】
一方、制御部が、電圧Ｖｂは、閾値Ｖａ以下であると判断した場合（ステップＳ１：Ｙｅｓ）には、処理をステップＳ２へ移す。
【００５４】
ステップＳ２では、制御部は、電気泳動表示装置２に指定ファイルを表示する動作を行う。
【００５５】
この処理により、図３（ｄ）に示したように、使用者が選択した指定ファイルが表示されることとなる。
【００５６】
次いで、ステップＳ３では、携帯型表示端末１は、電池残量を温存するために、携帯型表示端末１を電源オフ状態に移行させる。なお、このステップＳ３の処理は、ユーザの設定により実行しないこととしても良い。
【００５７】
具体的には、図５にも示すように、閾値Ｖａよりも低い第２閾値Ｖｃを予め設定しておき、電池の電圧Ｖｂが閾値Ｖａ以下となった際に、指定ファイルは表示するが電源オフ状態へは移行せず、電池の電圧Ｖｂが第２閾値Ｖｃ以下となったときに電源オフ状態に移行するようにしても良い。
【００５８】
また、このステップＳ２，Ｓ３の処理は、ユーザの設定により実行タイミングを設定することができる。
【００５９】
具体的には、電池６の電圧が閾値Ｖａ以下となった瞬間に電気泳動表示装置２に指定ファイルを表示するのではなく、電池６の電圧が閾値Ｖａ以下となり、電源ボタン３ｆが操作されたときに、電気泳動表示装置２を指定ファイルで書き換え、電源オフ状態に移行するように設定することができる。
【００６０】
また、電源ボタン３ｆを操作した際に、電気泳動表示装置２の表示を指定ファイルで書き換えるか否かについてユーザに指示を要求することとしても良い。この場合、ユーザが書き換えを希望した際には、電気泳動表示装置２の表示を指定ファイルにて書き換えた後に電源をオフ状態とし、また、ユーザが書き換えを希望しない場合には、電気泳動表示装置２の現在の表示を維持した状態で、携帯型表示端末１を電源オフ状態へ移行する。これにより、指定ファイルでの書き換えを実行するか否かに関し、ユーザの希望を加味しながら電源をオフ状態へ移行させることができる。
【００６１】
また、指定ファイルはユーザにより任意のファイルを採用することができるものであり、図３（ｄ）に示した「行き先地図」に替えて、例えば図６（ａ）に示すユーザのプロフィールや、携帯型表示端末１の所属情報、携帯型表示端末１のシリアルナンバーなどを示すようにしても良い。
【００６２】
また、ユーザによって指定された指定ファイルが複数ある場合、ユーザによって各指定ファイルの優先順位を決定し、その優先順に電気泳動表示装置２に表示するようにしても良い。
【００６３】
具体的には、電池６の電圧Ｖｂが前記所定閾値Ｖａ以下となると、電気泳動表示装置２の表示を複数の指定ファイルのうち優先度が最も高い指定ファイルに書き換えて携帯型表示端末１を電源オフ状態に移行し、その後、電源ボタン３ｆが操作されたときに電池６の電圧Ｖｂが前記所定閾値Ｖａ以下であるときには、電気泳動表示装置２の表示を複数の指定ファイルのうち優先度が次に高い指定ファイルに書き換えるようにしても良い。
【００６４】
このような構成とすることにより、ユーザが閲覧を希望する優先度の高い順に指定ファイルを表示することが可能となる。
【００６５】
また、ユーザによって指定された指定ファイルが複数ある場合、複数の指定ファイルの中のいずれか１つのファイルを選択して電気泳動表示装置２に表示するようにしても良く、また、図７に示すように電気泳動表示装置２の表示領域を指定ファイルの数に応じて分割して、各分割領域にそれぞれの指定ファイルを表示するようにしても良い。
【００６６】
この際、分割する数は、ユーザによって適宜決定できるようにしても良く、例えば、図７（ａ）に示すように、表示領域上に２分割で２つの指定ファイルを同時に表示したり、図７（ｂ）に示すように４分割で４つの指定ファイルを同時に表示しても良い。
【００６７】
このような構成とすることにより、複数の指定ファイルを同時に表示させることができ、ユーザに対してより多くのファイルを閲覧させることができる。
【００６８】
また、ステップＳ３にて説明したように、指定ファイルを表示して電源オフした後に、電池６への充電が開始された際、再び電源をオン状態とした時に表示するページは、指定ファイルを表示する前にユーザが閲覧していたファイルを表示するようにしても良い。
【００６９】
具体的には、指定ファイルに書き換える直前に表示していたファイル又はこのファイルを識別する情報（例えば、ファイル名や同ファイルを格納したフォルダの階層構造）を記憶しておき、電気泳動表示装置２の表示を指定ファイルに書き換えて電源オフ状態に移行した後、電池の充電が開始されたときに、記憶していたファイル又はこのファイルを識別する情報に基づいて電気泳動表示装置２の表示を書き換えるようにする。
【００７０】
このような構成とすることにより、指定ファイルに書き換えられる直前に電気泳動表示装置２に表示していたファイルを再び表示させるために、ユーザがメモリカード１３内の多くのファイルの中から探し出すという作業を省くことができる。
【００７１】
また、指定ファイルが複数ページに亘るファイルである場合において、電気泳動表示装置２に表示するページは、ユーザが電気泳動表示装置２に最後に表示させたページ、すなわち、複数あるページの中でユーザが最も直近に閲覧したページを採用するようにしても良い。
【００７２】
このような構成とすることにより、指定ファイルが複数ページに亘っていても、ユーザが直近に必要としたページを電気泳動表示装置２に表示させることができる。
【００７３】
また、電気泳動表示装置２に表示するページには、図６（ｂ）に示すようにアンダーラインの如きマーキング情報を付加可能に構成し、指定ファイルが複数ページに亘る場合、複数ページのうちマーキング情報を付加したページを採用するようにしても良い。
【００７４】
このような構成とすることにより、ユーザが着目した内容を備えるページを電気泳動表示装置２に表示させることができるのである。
【００７５】
上述してきた概要の如く、本実施形態に係る携帯型表示端末１は、このような特徴的な機能を有している。
【００７６】
次に、図８〜図１１の図面を用いて、本実施形態に係る携帯型表示端末１の具体的な構成について説明する。なお、図８は、携帯型表示端末１の電気的構成を示す模式図、図９〜図１１は、電気泳動表示装置２の構造を示した説明図である。
【００７７】
〔３．携帯型表示端末の電気的構成〕
まず、図８を参照して、携帯型表示端末１の電気的構成について説明する。
【００７８】
図８に示すように、携帯型表示端末１には、自装置の主要な制御を行う制御部２２と、自装置全体に給電するための電源部２５とを備えている。
【００７９】
制御部２２は、ＣＰＵ１０と、ＲＯＭ１１と、ＲＡＭ１２と、ＲＴＣ２６と、ＥＥＰＲＯＭ２３とを備えており、ＲＯＭ１１と、ＲＡＭ１２と、ＲＴＣ２６と、ＥＥＰＲＯＭ２３はそれぞれＣＰＵ１０に接続されている。
【００８０】
ＣＰＵ１０は携帯型表示端末１の制御を司り、特に、電気泳動表示装置２（不揮発性表示部）を駆動して、ファイルを構成するデータに従い内容を表示する。
【００８１】
ＲＯＭ１１は、ＣＰＵ１０にて実行することにより、携帯型表示端末１を動作させる表示端末プログラムが記憶されている。具体的には、図１２〜図２３に示すフローチャートを実行するためのプログラムが記憶されている。
【００８２】
ＲＡＭ１２は各種のデータや、ＣＰＵ１０にて実行されるプログラムで使用するフラグの値等を一時的に記憶するメモリとして機能する。このＲＡＭ１２に記憶されるフラグとしては、例えば、電池６の現在の電圧の状態を示す電圧状態フラグや、電池６に充電中であるか否かを示す充電フラグや、ＣＰＵ１０が実行すべき処理を示すタスクフラグや、操作キー３からの入力を一時的に記憶するためのキー入力フラグが挙げられる。なお、これらの電圧状態フラグ、充電フラグ、タスクフラグ、キー入力フラグのプログラム中での実際の取扱いについては、図１２〜図２３に示すフローを用いて後に詳述する。
【００８３】
ＲＴＣ（Ｒｅａｌ  Ｔｉｍｅ  Ｃｌｏｃｋ）２６は、後述のシステムタイマ割込処理を実行するための基準となるクロックパルスを発生させるためのものである。ＣＰＵ１０は、メイン処理を実行している状態であっても、このＲＴＣ２６から所定の周期（例えば２ミリ秒）毎に発生されるクロックパルスに応じて、メイン処理を中断させ、システムタイマ割込処理を実行する場合がある。
【００８４】
ＥＥＰＲＯＭ２３は、携帯型表示端末１の所属情報やシリアルナンバー、ユーザー情報など、携帯型表示端末１への電力供給が断たれた場合でも、保持しておきたい情報を記憶するための不揮発性メモリである。
【００８５】
なお、このＥＥＰＲＯＭ２３には、ＣＰＵ１０にて実行されるプログラムで使用するフラグの値等を一時的に記憶するメモリとしても機能する。このＥＥＰＲＯＭ２３に記憶されるフラグとしては、例えば、指定ファイルを表示する際の表示領域の分割数を示す表示領域分割数フラグや、携帯型表示端末１が電源オフ状態へ移行した際の原因を示すシステム終了原因フラグや、指定ファイルを表示する必要の要否を示す遷移要否フラグや、指定ファイルを表示した回数を示す遷移表示回数フラグが挙げられる。なお、これらの表示領域分割数フラグ、システム終了原因フラグ、遷移要否フラグ、遷移表示回数フラグのプログラム中での実際の取扱いについては、図１２〜図２３に示すフローを用いて後に詳述する。
【００８６】
電源部２５は、充電可能な電池６と、電池６への蓄電を制御する充電部７と、制御部２２や自装置全体への給電を制御する給電制御部２４と、携帯型表示端末１の電源のオン・オフを行うための電源ボタン３ｆとが備えられている。なお、符号８は、家庭用コンセント等と充電部７とを接続するケーブルを挿入するための端子である。
【００８７】
電池６は、充電と放電を繰り返し行うことのできる蓄電池であり、携帯型表示端末１を使用するにあたり予め電池６に電力を蓄えておくことにより、携帯型表示端末１の内部電源として機能するものである。
【００８８】
充電部７は、電池６への充電電圧の制御を行うものであり、家庭用のコンセント等から供給された電力を、電池６の電池残量や特性に応じて電池６へ供給する役割を果たす。
【００８９】
給電制御部２４は、携帯型表示端末１全体への電力供給の制御を行う。また、電池６の電圧値を監視し、その値を制御部２２（後述のＣＰＵ１０）へ送信する機能を有している。なお、この給電制御部２４は、携帯型表示端末１を電源オフ状態とした場合でも、次に述べる電源ボタン３ｆが操作されたか否かを監視している。
【００９０】
電源ボタン３ｆは、給電制御部２４に接続されているプッシュ式のスイッチであり、押下されると、給電制御部２４へ信号を送信し、この信号に基づいて給電制御部２４は携帯型表示端末１をオン状態またはオフ状態とする。
【００９１】
すなわち、この携帯型表示端末１では、電源ボタン３ｆの押下により電源の入り切りを指示できる。電源が切られている状態で電源ボタン３ｆが押下されると、「電源投入」の指示とされ、ＣＰＵ１０及び周辺機器への電力供給が行われ、携帯型表示端末１は稼働状態となる。一方、電源が入っている状態で電源ボタン３ｆが押下されると、「電源切断」の指示とされ、電源を切るための処理が行われて、ＣＰＵ１０及び周辺機器への電力供給が断たれる。
【００９２】
また、制御部２２には、キーＩ／Ｆ１５、表示コントローラ１４、タッチパネル９、メモリカードＩ／Ｆ１６が接続されている。
【００９３】
キーＩ／Ｆ１５には、操作キー３が接続されており、決定キー３ａ、上キー３ｂ、下キー３ｃ、左キー３ｄ、右キー３ｅから入力される信号を処理してＣＰＵ１０へ送信する機能を有する。
【００９４】
表示コントローラ１４には、電気泳動表示装置２（図１参照）が接続されており、同電気泳動表示装置２への画像の表示を制御する。
【００９５】
タッチパネル９は、電気泳動表示装置２の上層に積層した状態で配設されており、ユーザがスタイラスやタッチペン等により触れることで、電気泳動表示装置２に表示している項目の選択を行ったり、表示画像にマーキングを行うためのマーキング付加部として機能する。
【００９６】
メモリカードＩ／Ｆ１６は、カードスロット５の内部に配設されており、メモリカード１３からのファイルの読み取り、書き込みを制御する。
【００９７】
ここで、電気泳動表示装置２の物理的構成の概略について、図９〜図１１を参照して説明する。図９は、電気泳動表示装置２の正面図である。図１０は、電気泳動表示装置２のＩ−Ｉ線（図９）における矢視方向断面図であり、図１１は、電気泳動表示装置２のＩＩ−ＩＩ線（図９）における矢視方向断面図である。
【００９８】
図９〜図１１に示すように電気泳動表示装置２は、その下面部分に設けられる下部基板５０と、その上面部分に設けられる上部基板６０とが対向配置され、下部基板５０と上部基板６０との間に表示部７０を備える。尚、Ｉ−Ｉ線は、携帯型表示端末１の横方向（図１の左右方向）に平行な線を示し、ＩＩ−ＩＩ線は、縦方向（図１の上下方向）に平行な線を示す。尚、図９〜図１１では、説明しやすいように、画素数を５×４の２０個としているが、実際には、必要に応じた画素数を設けることができる。
【００９９】
下部基板５０は、表示部７０に電界を発生させる下部電極５２と、下部電極５２の上面側に絶縁材料を塗布等して形成した絶縁膜である下部電極保護膜５１と、下部電極５２の下面側に設けられて携帯型表示端末１を支持する筐体支持部５３とを備える。下部電極保護膜５１は、ポリエチレンテレフタレートやシリカ等の樹脂フィルムやガラスなどの無機材料等の高い絶縁性を発揮可能な材料により形成される。尚、本実施の形態では、下部電極保護膜５１及び筐体支持部５３は、可撓性のあるポリエチレンテレフタレートにより構成されたプラスチック基板（樹脂フィルム）である。また、下部電極５２は、一定の電圧が印加されるように線状の電気導電体が横方向（Ｉ−Ｉ線方向）に平行に配設された、複数の電極を具備する基板である。
【０１００】
下部基板５０の上方向には、下部基板５０に対向して、かつ平行に所定間隔を空けて上部基板６０が設けられる。上部基板６０は、表示部７０に電界を発生させる上部電極６２と、上部電極６２の下面側に絶縁材料を塗布等して形成した絶縁膜である上部電極保護膜６１と、上部電極６２の上面側に設けられて透明な部材により構成されて表示画面として機能する表示層６３とを備える。上部電極保護膜６１はポリイミド，ポリエチレンテレフタレート，ガラスなどの高い透明性を発揮可能な材料により形成される。また、上部電極６２は、一定の電圧が印加されるように線状の電気導電体が縦方向（ＩＩ−ＩＩ線方向）に平行に配設された、複数の電極を具備する基板であり、かつ高い透明性を発揮可能な材料により構成される。本実施の形態では、上部電極保護膜６１はポリエチレンテレフタレートにより構成されたプラスチック基板（樹脂フィルム）である。また、上部電極６２は酸化インジウムすず（ＩＴＯ）により形成された透明電極であり、表示層６３はガラス基板である。つまり、上部基板６０は透明体であるから、利用者が上部基板６０の上方向から表示部７０を視認可能な表示基板として機能する。
【０１０１】
次に、表示部７０について説明する。対向して設けられる下部基板５０及び上部基板６０と、スペーサー７１とで形成される間隙が、表示部７０である。スペーサー７１は、下部基板５０及び上部基板６０との間隙に架設され、その間隙を格子状に均等に分割して複数の小区画セルを形成し、下部基板５０及び上部基板６０を支持する。スペーサー７１は、格子状に複数の貫通孔が形成された板状部材として構成された可撓性部材であり、例えばポリイミドやポリエチレンテレフタレートなどの合成樹脂で構成されればよい。
【０１０２】
また、表示部７０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【０１０３】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【０１０４】
また、上部基板６０の上面（下部基板５０と対向しない面）には、正面視、小区画セルが存在しない表示部７０の周縁部を、利用者が視認できないように隠蔽するためのマスク部４０が設けられる。マスク部４０は、上部基板６０の四辺に沿って一定幅で設けられ、表示部７０を利用者が視認できるように貫通孔が設けられたロの字型形状の板状部材であり、ポリエチレンテレフタレートなどの合成樹脂を着色したものを接着したり、表示層６３の表面に印刷したインク層で形成したりすればよい。そして、電気泳動表示装置２をその上方から見ると、マスク部４０に設けられた貫通孔から、表示部７０を視認することができる構成となっている。
【０１０５】
〔４．携帯型表示端末の処理フロー〕
次に、図１２から図２３のフローチャートを参照して、携帯型表示端末１等の動作について説明する。図１２は、携帯型表示端末１において実行されるメイン処理の動作を示すフローチャートであり、図１３は、システムタイマ割込処理の動作を示すフローチャートであり、図１４〜図１７は図１２のメイン処理から分岐するサブ処理の動作を示すフローチャートであり、図１８〜図２３は図１３のシステムタイマ割込処理から分岐するサブ処理の動作を示すフローチャートである。また、ここでは、図１２から図２３のフローチャートに従って表示される電気泳動表示装置２上での表示状態についても図２４から図２７を参照しながら説明する。
【０１０６】
まず、フローチャートの説明を容易とするために、処理中にＣＰＵ１０が参照する各フラグについて説明する。本実施形態にて使用するフラグは、大別して、ＲＡＭ１２に記憶されるフラグと、ＥＥＰＲＯＭ２３に記憶されるフラグと、個々のファイル自体に設定されるフラグとの３つがある。
【０１０７】
ＲＡＭ１２に記憶され、電池６の現在の電圧Ｖｂの状態を示す電圧状態フラグは、「０」〜「２」の値をとるフラグであり、「０：閾値Ｖａより大きい」、「１：閾値Ｖａ以下」、「２：第２閾値Ｖｃ以下」を意味している。
【０１０８】
ＲＡＭ１２に記憶され、電池６が充電中であるか否かを示す充電フラグは、「０」又は「１」の値をとるフラグであり、「０：充電中ではない」、「１：充電中である」を意味している。
【０１０９】
ＲＡＭ１２に記憶され、ＣＰＵ１０が実行すべき処理を示すタスクフラグは、「１」〜「４」の値をとるフラグであり、「１：メニュー画面表示処理」、「２：ファイル指定処理」、「３：ファイル一覧表示処理」、「４：ファイル表示処理」を意味している。
【０１１０】
また、ＲＡＭ１２に記憶されるその他のフラグとして、操作キー３からのキー入力を一時的に記憶するためのキー入力フラグがある。
【０１１１】
ＥＥＰＲＯＭ２３に記憶され、指定ファイルを表示する際の表示領域の分割数を示す表示領域分割数フラグは、「１」以上の値（例えば１以上４以下）をとる。
【０１１２】
ＥＥＰＲＯＭ２３に記憶され、携帯型表示端末１が電源オフ状態へ移行した際の原因を示すシステム終了原因フラグは、「１」または「２」の値をとるフラグであり、「１：正常終了」、「２：電圧低下による終了」を意味している。
【０１１３】
ＥＥＰＲＯＭ２３に記憶され、指定ファイルを表示したか否かを示す遷移要否フラグは、「０」または「１」の値をとるフラグであり、「０：遷移表示の必要あり」、「１：遷移表示の必要なし」を意味している。
【０１１４】
ＥＥＰＲＯＭ２３に記憶され、指定ファイルを表示した回数を示す遷移表示回数フラグは、「０」または「１」以上の値をとるフラグであり、「０：指定ファイルを表示していない」であり、「１」以上の値は指定ファイルを表示した回数を示している。
【０１１５】
各ファイル自体に設定され、ユーザにより指定されたファイルであることを示す指定ファイルフラグは、「０」または「１」の値をとるフラグであり、「０：指定ファイルではない」、「１：指定ファイルである」を意味している。
【０１１６】
各ファイル自体に設定され、電気泳動表示装置２に表示させる指定ファイルの優先順位を示す優先順位フラグは、「１」以上の値をとり、値が小さい程優先度が高いことを示している。なお、優先順位フラグを備えたファイルを記憶するメモリカードは、優先度を記憶する優先度記憶部として機能する。
【０１１７】
各ファイル自体に設定され、現在ユーザが閲覧しているファイルであることを示す閲覧フラグは、「０」または「１」の値をとるフラグであり、「０：閲覧していない」、「１：閲覧中」を意味している。
【０１１８】
各ファイル自体に設定され、ユーザがそのファイルのなかで一番最後に閲覧したページ数を示す最終閲覧ページフラグは、「１」以上の値をとるフラグであり、その値は最後に閲覧したページ数を示している。
【０１１９】
各ファイル自体に設定され、ユーザがそのファイルにマーキングしたか否かを示すマーキングフラグは、「０」または「１」の値をとるフラグであり、「０：マーキングなし」、「１：マーキングあり」を意味している。
【０１２０】
上述してきたフラグを参照しながら、ＣＰＵ１０は、以下の処理を実行する。
【０１２１】
まず、図１２に示すように、メイン処理では、携帯型表示端末１の制御部２２のＣＰＵ１０は、まず、ＲＡＭアクセス許可、作業領域を初期化等の初期設定処理を実行する（ステップＳ１０）。また、この際、ＲＡＭ１２にタスクフラグ、電圧状態フラグ、充電フラグを設定する。なお、タスクフラグ、電圧状態フラグ、充電フラグの値は、後述する割込処理により、携帯型表示端末１の稼働状態に応じて随時書き込みがなされる。
【０１２２】
次に、ＣＰＵ１０は、ＲＡＭ１２からタスクフラグの値の読み込みを行い（ステップＳ１１）、タスクフラグの値が「１：メニュー画面表示処理」であるか否かの判断を行う（ステップＳ１２）。
【０１２３】
ここで、ＣＰＵ１０が、タスクフラグの値が「１：メニュー画面表示処理」であると判断した場合（ステップＳ１２：Ｙｅｓ）は、メニュー画面表示処理を実行する（ステップＳ１３）。なお、このメニュー画面表示処理については、図１４を用いて後に説明する。
【０１２４】
一方、ＣＰＵ１０が、タスクフラグの値が「１：メニュー画面表示処理」ではないと判断した場合（ステップＳ１２：Ｎｏ）は、処理をステップＳ１４へ移す。
【０１２５】
次いで、ＣＰＵ１０は、タスクフラグの値が「２：ファイル指定処理」であるか否かの判断を行う（ステップＳ１４）。
【０１２６】
ここで、ＣＰＵ１０が、タスクフラグの値が「２：ファイル指定処理」であると判断した場合（ステップＳ１４：Ｙｅｓ）は、ファイル指定処理を実行する（ステップＳ１５）。なお、このファイル指定処理については、図１５を用いて後に説明する。
【０１２７】
一方、ＣＰＵ１０が、タスクフラグの値が「２：ファイル指定処理」ではないと判断した場合（ステップＳ１４：Ｎｏ）は、処理をステップＳ１６へ移す。
【０１２８】
次いで、ＣＰＵ１０は、タスクフラグの値が「３：ファイル一覧表示処理」であるか否かの判断を行う（ステップＳ１６）。
【０１２９】
ここで、ＣＰＵ１０が、タスクフラグの値が「３：ファイル一覧表示処理」であると判断した場合（ステップＳ１６：Ｙｅｓ）は、ファイル一覧表示処理を実行する（ステップＳ１７）。なお、このファイル一覧表示処理については、図１６を用いて後に説明する。
【０１３０】
一方、ＣＰＵ１０が、タスクフラグの値が「３：ファイル一覧表示処理」ではないと判断した場合（ステップＳ１６：Ｎｏ）は、処理をステップＳ１８へ移す。
【０１３１】
次いで、ＣＰＵ１０は、タスクフラグの値が「４：ファイル表示処理」であるか否かの判断を行う（ステップＳ１８）。
【０１３２】
ここで、ＣＰＵ１０が、タスクフラグの値が「４：ファイル表示処理」であると判断した場合（ステップＳ１８：Ｙｅｓ）は、ファイル表示処理を実行する（ステップＳ１９）。なお、このファイル表示処理については、図１７を用いて後に説明する。
【０１３３】
一方、ＣＰＵ１０が、タスクフラグの値が「４：ファイル表示処理」ではないと判断した場合（ステップＳ１８：Ｎｏ）は、処理を再びステップＳ１１へ移し繰り返し実行することとなる。
【０１３４】
次に、図１３を用いて、システムタイマ割込処理について説明する。すなわち、ＣＰＵ１０は、メイン処理を実行している状態であっても、メイン処理を中断させ、システムタイマ割込処理を実行する場合がある。ＲＴＣ２６から所定の周期（例えば２ミリ秒）毎に発生されるクロックパルスに応じて、以下のシステムタイマ割込処理を実行する。
【０１３５】
図１３に示すように、まずＣＰＵ１０は、電源ボタン３ｆが押下された際に、携帯型表示端末１をオフ状態とするための電源ボタン押下時処理を実行する（ステップＳ２０）。この電源ボタン押下時処理は、後に図１８を用いて詳細に説明する。
【０１３６】
次いでＣＰＵ１０は、決定キー３ａ、上キー３ｂ、下キー３ｃ、左キー３ｄ、右キー３ｅなどの操作キー３からの入力を受け付ける操作キー押下時処理を実行する（ステップＳ２１）。
【０１３７】
この操作キー押下時処理では、操作キー３からの入力があった場合、いずれのキーから入力があったかについてＲＡＭ１２の所定アドレスにキー入力フラグとして書き込みを行う。このキー入力フラグは、他の処理ステップにて参照されることにより、キー入力の有無の判断に供されることとなる。
【０１３８】
次いでＣＰＵ１０は、電気泳動表示装置２に積層して配設されたタッチパネル９からの入力を受け付けるタッチパネル接触時処理を実行する（ステップＳ２２）。このタッチパネル接触時処理は、後に図１９を用いて詳細に説明する。
【０１３９】
次いでＣＰＵ１０は、電池６の電圧をチェックする電池電圧確認処理を実行する（ステップＳ２３）。この電池電圧確認処理は、後に図２０を用いて詳細に説明する。
【０１４０】
次いでＣＰＵ１０は、前回システム終了時の原因に応じて、起動時の電気泳動表示装置２の表示内容を変更するシステム起動時特別処理を実行する（ステップＳ２４）。このシステム起動時特別処理は、後に図２１を用いて詳細に説明する。
【０１４１】
次いでＣＰＵ１０は、指定ファイルを表示するか否か、また、携帯型表示端末１をオフ状態とするか否かを判断するシステム終了確認処理を実行する（ステップＳ２５）。このシステム終了確認処理は、後に図２２を用いて詳細に説明する。
【０１４２】
次に、図１２にて示したメイン処理のステップＳ１３にて実行されるメニュー画面表示処理について図１４及び図２４を用いて説明する。
【０１４３】
メニュー画面表示処理において、まずＣＰＵ１０は、図２４にも示すように、電気泳動表示装置２にファイル指定処理に移行を指示するファイル指定処理アイコン８１と、ファイル一覧表示処理に移行を指示するファイル閲覧アイコン８２とを備えたメニュー画面８０の表示を行う（ステップＳ３０）。
【０１４４】
次いで、ＣＰＵ１０は、ユーザによってファイル指定処理アイコン８１が選択されたか否かについて判断を行う（ステップＳ３１）。
【０１４５】
ここで、ＣＰＵ１０が、ファイル指定処理アイコン８１が選択されたと判断した場合（ステップＳ３１：Ｙｅｓ）は、処理をステップＳ３２へ移す。
【０１４６】
ステップＳ３２では、ＲＡＭ１２の所定アドレスに記憶されているタスクフラグの値を「２：ファイル指定処理」に設定し処理をステップＳ３３へ移す。
【０１４７】
一方、ステップＳ３１にて、ＣＰＵ１０がファイル指定処理アイコン８１が選択されていないと判断した場合（ステップＳ３１：Ｎｏ）は、処理をステップＳ３３へ移す。
【０１４８】
次いで、ＣＰＵ１０は、ユーザによってファイル閲覧アイコン８２が選択されたか否かについて判断を行う（ステップＳ３３）。
【０１４９】
ここで、ＣＰＵ１０が、ファイル閲覧アイコン８２が選択されたと判断した場合（ステップＳ３３：Ｙｅｓ）は、処理をステップＳ３４へ移す。
【０１５０】
ステップＳ３４では、ＲＡＭ１２の所定アドレスに記憶されているタスクフラグの値を「３：ファイル一覧表示処理」に設定し、処理を分岐前のアドレスに戻す。
【０１５１】
一方、ステップＳ３３にて、ＣＰＵ１０がファイル閲覧アイコン８２が選択されていないと判断した場合（ステップＳ３３：Ｎｏ）は、処理を分岐前のアドレスに戻す。
【０１５２】
次に、図１２にて示したメイン処理のステップＳ１５にて実行されるファイル指定処理について図１５及び図２５を用いて説明する。
【０１５３】
ファイル指定処理において、まずＣＰＵ１０は、図２５に示すように、ファイル指定画面８３を表示し、そこに指定可能なファイルの一覧８４を表示する（ステップＳ４０）。
【０１５４】
次いでＣＰＵ１０は、ＲＡＭ１２の所定アドレスに記憶されているキー入力フラグを参照し、上キー３ｂ、下キー３ｃ、左キー３ｄ、右キー３ｅからのキー入力があるか否かについて判断を行う（ステップＳ４１）。
【０１５５】
ここでＣＰＵ１０は、キー入力があったと判断した場合（ステップＳ４１：Ｙｅｓ）には、ファイル指定画面８３上のカーソル２１を移動させて（ステップＳ４２）、処理をステップＳ４３へ移す。
【０１５６】
一方、ステップＳ４１において、ＣＰＵ１０が、キー入力がないと判断した場合（ステップＳ４１：Ｎｏ）には、処理をステップＳ４３へ移す。
【０１５７】
次いでＣＰＵ１０は、ユーザが指定可能なファイルの一覧８４の中からいずれかのファイルを選択し、決定キー３ａを押下したか否かについて判断を行う。
【０１５８】
ここでＣＰＵ１０は、決定キー３ａが押下されたと判断した場合（ステップＳ４３：Ｙｅｓ）には、処理をステップＳ４４へ移す。
【０１５９】
一方、ＣＰＵ１０が、決定キー３ａが押下されていないと判断した場合（ステップＳ４３：Ｎｏ）は、処理を再びステップＳ４１へ移す。
【０１６０】
次いでＣＰＵ１０は、選択されたファイルを指定ファイルとし、同ファイルに指定ファイルフラグとして「１：指定ファイルである」の値を設定する（ステップＳ４４）。なお、上述のように、決定キー３ａと、ステップＳ４３〜ステップＳ４４を実行する制御部２２（ＣＰＵ１０）とが協働することで、情報指定部として機能する。
【０１６１】
続いてＣＰＵ１０は、優先順位入力画面８５にて、指定ファイルの優先順位の入力をユーザーに対して要求する（ステップＳ４５）。
【０１６２】
ここでユーザが優先順位入力ボックス８７に、指定ファイルの優先順位を入力すると、ＣＰＵ１０は、指定ファイルに優先順位フラグを設定し、同優先順位フラグの値を入力された優先順位の値とする（ステップＳ４６）。
【０１６３】
次いでＣＰＵ１０は、分割表示設定画面８６にて、指定ファイルを表示する際の表示領域の分割数の入力を要求する（ステップＳ４７）。
【０１６４】
ここで、ユーザにより、指定ファイルを表示する際に表示領域を分割する数が、分割数入力ボックス８８入力されると、入力された値を表示領域分割数フラグの値としてＥＥＰＲＯＭ２３に記憶させる。
【０１６５】
次いでＣＰＵ１０は、ＲＡＭ１２の所定アドレスに記憶されたタスクフラグの値を「１：メニュー画面表示処理」に設定し（ステップＳ４８）、処理を分岐前のアドレスに復帰させる。
【０１６６】
次に、図１２にて示したメイン処理のステップＳ１７にて実行されるファイル一覧表示処理について図１６及び図２６を用いて説明する。
【０１６７】
ファイル一覧表示処理において、まずＣＰＵ１０は、図２６に示すように、ファイル一覧画面９０を表示し、そこに閲覧可能なファイルの一覧９１を表示する（ステップＳ５０）。
【０１６８】
次いで、ＣＰＵ１０は、ＲＡＭ１２の所定アドレスに記憶されているキー入力フラグを参照し、上キー３ｂ、下キー３ｃ、左キー３ｄ、右キー３ｅからのキー入力があるか否かについて判断を行う（ステップＳ５１）。
【０１６９】
ここでＣＰＵ１０は、キー入力があったと判断した場合（ステップＳ５１：Ｙｅｓ）には、ファイル一覧画面９０上のカーソル２１を移動させて（ステップＳ５２）、処理をステップＳ５３へ移す。
【０１７０】
一方、ステップＳ５１において、ＣＰＵ１０が、キー入力がないと判断した場合（ステップＳ５１：Ｎｏ）には、処理をステップＳ５３へ移す。
【０１７１】
次いでＣＰＵ１０は、ファイル一覧画面９０上のメニュー画面へ戻るアイコン９２が選択され決定キー３ａが押下されたか否かについて判断を行う（ステップＳ５３）。
【０１７２】
ここでＣＰＵ１０は、メニュー画面へ戻るアイコン９２が選択され決定キー３ａが押下されたと判断した場合（ステップＳ５３：Ｙｅｓ）は、ＲＡＭ１２の所定アドレスに記憶されているタスクフラグの値を「１：メニュー画面表示処理」に設定して（ステップＳ５４）、分岐前のアドレスに処理を復帰する。
【０１７３】
一方、ＣＰＵ１０はメニュー画面へ戻るアイコン９２が選択され決定キー３ａが押下されていないと判断した場合（ステップＳ５３：Ｎｏ）には、処理をステップＳ５５へ移す。
【０１７４】
次いでＣＰＵ１０は、所定のファイルが選択され、決定キー３ａが押下されたか否かについて判断を行う（ステップＳ５５）。
【０１７５】
ここでＣＰＵ１０は、所定のファイルが選択されたと判断した場合（ステップＳ５５：Ｙｅｓ）には、処理をステップＳ５６へ移す。
【０１７６】
一方、ＣＰＵ１０は、所定のファイルが選択されていないと判断した場合（ステップＳ５５：Ｎｏ）には、処理を再びステップＳ５１へ移す。
【０１７７】
次いでＣＰＵ１０は、選択されたファイルに閲覧フラグの値として「１：閲覧中」を設定し（ステップＳ５６）、ＲＡＭ１２の所定アドレスに記憶されているタスクフラグの値を「４：ファイル表示処理」に設定して（ステップＳ５７）、分岐前のアドレスに処理を復帰する。
【０１７８】
次に、図１２にて示したメイン処理のステップＳ１９にて実行されるファイル表示処理について図１７及び図２７を用いて説明する。
【０１７９】
ファイル表示処理において、まずＣＰＵ１０は、図２７に示すように、ファイル表示画面９３を表示し、メモリカード１３に記憶されているファイルの中から、閲覧フラグが１に設定されたファイルを読み出して、情報画像９４を表示する（ステップＳ６０）。
【０１８０】
次いで、ＣＰＵ１０は、ＲＡＭ１２の所定アドレスに記憶されているキー入力フラグを参照し、上キー３ｂ、下キー３ｃ、左キー３ｄ、右キー３ｅからのキー入力があるか否かについて判断を行う（ステップＳ６１）。
【０１８１】
ここでＣＰＵ１０は、キー入力があったと判断した場合（ステップＳ６１：Ｙｅｓ）には、ファイル表示画面９３上のカーソル２１を移動させたり、また、閲覧しているファイルが複数ページにわたるものであればページをめくる処理を実行して（ステップＳ６２）、処理をステップＳ６３へ移す。
【０１８２】
一方、ステップＳ６１において、ＣＰＵ１０が、キー入力がないと判断した場合（ステップＳ６１：Ｎｏ）には、処理をステップＳ６３へ移す。
【０１８３】
次いでＣＰＵ１０は、ファイル表示画面９３上の閲覧終了アイコン９５が選択され決定キー３ａが押下されたか否かについて判断を行う（ステップＳ６３）。
【０１８４】
ここでＣＰＵ１０は、閲覧終了アイコン９５が選択され決定キー３ａが押下されたと判断した場合（ステップＳ６３：Ｙｅｓ）は、処理をステップＳ６４へ移す復帰する。
【０１８５】
一方、ＣＰＵ１０は閲覧終了アイコン９５が選択され決定キー３ａが押下されていないと判断した場合（ステップＳ６３：Ｎｏ）には、処理を再びステップＳ６１へ移す。
【０１８６】
次いでＣＰＵ１０は、閲覧していたファイルに記録される閲覧フラグの値を「０：閲覧していない」に設定する（ステップＳ６４）。
【０１８７】
次いでＣＰＵ１０は、閲覧していたファイルは複数ページに亘るファイルであったか否かについて判断を行う（ステップＳ６５）。
【０１８８】
ここでＣＰＵ１０は、閲覧していたファイルが複数ページに亘るファイルであったと判断した場合（ステップＳ６５：Ｙｅｓ）は、処理をステップＳ６６へ移す。
【０１８９】
ステップＳ６６では、閲覧していたファイルのうち、ユーザが最後に閲覧したページの値を、最終閲覧ページフラグの値として当該ファイルに記録する。例えば、ユーザが閲覧していたファイルが全１０ページに亘るファイルであり、ユーザが最後に閲覧したページが８ページ目である場合には、当該ファイルには最終閲覧ページフラグの値として「８」が記録される。このステップＳ６６の処理が終了するとＣＰＵ１０は、処理をステップＳ６８へ移す。
【０１９０】
一方、ステップＳ６５において、ＣＰＵ１０が、閲覧していたファイルは複数ページに亘るファイルでないと判断した場合（ステップＳ６５：Ｎｏ）には、処理をステップＳ６７へ移す。
【０１９１】
ステップＳ６７では、最終閲覧ページフラグの値として「１」を閲覧していたファイルに記録する。
【０１９２】
次いでＣＰＵ１０は、ＲＡＭ１２の所定アドレスに記憶されているタスクフラグの値を「３：ファイル一覧表示処理」に設定して（ステップＳ６８）、分岐前のアドレスに処理を復帰する。
【０１９３】
次に、図１３にて示したシステムタイマ割込処理のステップＳ２０にて実行される電源ボタン押下処理について図１８を用いて説明する。
【０１９４】
電源ボタン押下処理において、まずＣＰＵ１０は、電源ボタン３ｆが押下されたか否かについて判断を行う（ステップＳ７０）。
【０１９５】
ここでＣＰＵ１０が、電源ボタン３ｆが押下されていないと判断した場合（ステップＳ７０：Ｎｏ）には、処理を分岐前のアドレスに復帰させる。
【０１９６】
一方、ＣＰＵ１０が、電源ボタン３ｆが押下されたと判断した場合（ステップＳ７０：Ｙｅｓ）には、処理をステップＳ７１へ移す。
【０１９７】
次いで、ＣＰＵ１０は、電気泳動表示装置２に、システム終了処理中である旨を表示する（ステップＳ７１）。この際の表示は、例えば、「電源ボタンが押されたため、電源を落としました」等の表示とすることができる。
【０１９８】
そして、ＣＰＵ１０は、ＥＥＰＲＯＭ２３に記憶されているシステム終了原因フラグの値を「１：通常終了」の値に書き換え、給電制御部２４に対して電源部２５以外への電力の供給を停止するよう命令して携帯型表示端末１の電源を落とす。
【０１９９】
次に、図１３にて示したシステムタイマ割込処理のステップＳ２２にて実行されるタッチパネル接触時処理について図１９を用いて説明する。
【０２００】
タッチパネル接触時処理において、まずＣＰＵ１０は、電気泳動表示装置２に積層して配設したタッチパネル９に触れられたか否かについて判断を行う（ステップＳ８０）。
【０２０１】
ここでＣＰＵ１０が、タッチパネル９に触れられていないと判断した場合（ステップＳ８０：Ｎｏ）には、処理を分岐前のアドレスに復帰させる。
【０２０２】
一方、ＣＰＵ１０が、タッチパネル９に触れられたと判断した場合（ステップＳ８０：Ｙｅｓ）には、処理をステップＳ８１へ移す。
【０２０３】
次いで、ＣＰＵ１０は、ＲＡＭ１２の所定領域に記憶されているタスクフラグの値が「４：ファイル表示処理」であるか否か、すなわち、ステップＳ１９のファイル表示処理の実行中であるか否かについて判断を行う（ステップＳ８１）。
【０２０４】
ここでＣＰＵ１０が、タスクフラグの値が「４：ファイル表示処理」ではないと判断した場合（ステップＳ８１：Ｎｏ）には、処理を分岐前のアドレスに復帰させる。
【０２０５】
一方、ＣＰＵ１０が、タスクフラグの値が「４：ファイル表示処理」であると判断した場合（ステップＳ８１：Ｙｅｓ）には、処理をステップＳ８２へ移す。
【０２０６】
次いで、ＣＰＵ１０は、触れられたタッチパネル９上の座標を確認し、電気泳動表示装置２にその筆跡を表示する（ステップＳ８２）。
【０２０７】
そして、電気泳動表示装置２上に表示中のファイルに、表示した筆跡のデータを上書きして書き換え（ステップＳ８３）、同ファイルに記録されるマーキングフラグを「１：マーキングあり」に設定し（ステップＳ８４）、処理を分岐前のアドレスに復帰させる。
【０２０８】
次に、図１３にて示したシステムタイマ割込処理のステップＳ２３にて実行される電池電圧確認処理について図２０を用いて説明する。
【０２０９】
電池電圧確認処理において、まずＣＰＵ１０は、ＲＡＭ１２の所定アドレスに記憶されている電圧状態フラグの値を「０：閾値Ｖａより大きい」に設定する（ステップＳ９０）。
【０２１０】
次いでＣＰＵ１０は、電池６の電圧Ｖｂの値を給電制御部２４に要求し、電池６の電圧Ｖｂの値を取得する（ステップＳ９１）。
【０２１１】
次いでＣＰＵ１０は、取得した電圧Ｖｂの値が、閾値Ｖａ以下であるか否かについて判断を行う（ステップＳ９２）。
【０２１２】
ここでＣＰＵ１０が、取得した電圧Ｖｂの値が、閾値Ｖａ以下であると判断した場合（ステップＳ９２：Ｙｅｓ）には、ＲＡＭ１２の所定アドレスに記憶されている電圧状態フラグの値を「１：閾値Ｖａ以下」に設定し（ステップＳ９３）、処理をステップＳ９４へ移す。
【０２１３】
一方、ＣＰＵ１０が、取得した電圧Ｖｂの値が、閾値Ｖａ以下ではないと判断した場合（ステップＳ９２：Ｎｏ）には、処理をステップＳ９４へ移す。
【０２１４】
次いで、ＣＰＵ１０は、取得した電圧Ｖｂの値が、第２閾値Ｖｃ以下であるか否かについて判断を行う（ステップＳ９４）。
【０２１５】
ここでＣＰＵ１０が、取得した電圧Ｖｂの値が、第２閾値Ｖｃ以下であると判断した場合（ステップＳ９４：Ｙｅｓ）には、ＲＡＭ１２の所定アドレスに記憶されている電圧状態フラグの値を「２：第２閾値Ｖｃ以下」に設定し（ステップＳ９５）、処理をステップＳ９６へ移す。
【０２１６】
一方、ＣＰＵ１０が、取得した電圧Ｖｂの値が、第２閾値Ｖｃ以下ではないと判断した場合（ステップＳ９４：Ｎｏ）には、処理をステップＳ９６へ移す。
【０２１７】
次いで、ＣＰＵ１０は、充電中であるか否かについて、給電制御部２４に確認を行い（ステップＳ９６）、充電中であるか否かについて判断を行う（ステップＳ９７）。
【０２１８】
ここでＣＰＵ１０が、充電中であると判断した場合（ステップＳ９７：Ｙｅｓ）には、ＲＡＭ１２の所定アドレスに記憶されている充電フラグの値を「１：充電中」に設定し（ステップＳ９８）、処理を分岐前のアドレスに復帰させる。
【０２１９】
一方、ＣＰＵ１０が、充電中ではないと判断した場合（ステップＳ９７：Ｎｏ）には、ＲＡＭ１２の所定アドレスに記憶されている充電フラグの値を「０：充電中ではない」に設定し（ステップＳ９９）、処理を分岐前のアドレスに復帰させる。
【０２２０】
次に、図１３にて示したシステムタイマ割込処理のステップＳ２４にて実行されるシステム起動時特別処理について図２１を用いて説明する。
【０２２１】
システム起動時特別処理において、まずＣＰＵ１０は、ＥＥＰＲＯＭ２３の所定アドレスに記憶されているシステム終了原因フラグの値を参照する（ステップＳ１００）。
【０２２２】
次いでＣＰＵ１０は、参照したシステム終了原因フラグの値が「２：電圧低下による終了」であるか否かについて判断を行う（ステップＳ１０１）。
【０２２３】
ここでＣＰＵ１０が、システム終了原因フラグの値が「２：電圧低下による終了」ではないと判断した場合（ステップＳ１０１：Ｎｏ）には、処理を分岐前のアドレスに復帰させる。
【０２２４】
一方、ＣＰＵ１０が、システム終了原因フラグの値が「２：電圧低下による終了」であると判断した場合（ステップＳ１０１：Ｙｅｓ）には、処理をステップＳ１０２へ移す。
【０２２５】
次いでＣＰＵ１０は、ＲＡＭ１２の所定アドレスを参照し、電圧状態フラグの値が「０：閾値Ｖａより大きい」であるか否かについて判断を行う（ステップＳ１０２）。
【０２２６】
ここでＣＰＵ１０が、電圧状態フラグの値が「０：閾値Ｖａより大きい」ではないと判断した場合（ステップＳ１０２：Ｎｏ）には、処理をステップＳ１０３へ移す。
【０２２７】
ステップＳ１０３では、ＣＰＵ１０は、ＲＡＭ１２の所定アドレスを参照し、充電フラグの値が「１：充電中」であるか否かについて判断を行う。
【０２２８】
ここでＣＰＵ１０が、充電フラグの値が「１：充電中」であると判断した場合には、処理をステップＳ１０５へ移し、充電フラグの値が「１：充電中」ではないと判断した場合には、ＥＥＰＲＯＭ２３の所定アドレスに記憶している遷移要否フラグの値を「０：遷移表示の必要あり」に設定し（ステップＳ１０４）、処理を分岐前のアドレスに復帰させる。
【０２２９】
翻って、ステップＳ１０２においてＣＰＵ１０が、電圧状態フラグの値が「０：閾値Ｖａより大きい」であると判断した場合（ステップＳ１０２：Ｙｅｓ）には、処理をステップＳ１０５へ移す。
【０２３０】
次いでＣＰＵ１０は、ＥＥＰＲＯＭ２３の所定アドレスを参照し、指定ファイルを表示する直前にユーザが閲覧していたファイル（以下、遷移直前ファイルという）を表示するような設定が、ユーザによって予めなされているか否かついて判断を行う（ステップＳ１０５）。
【０２３１】
ここでＣＰＵ１０が、遷移直前ファイルを表示する設定になっていると判断した場合（ステップＳ１０５：Ｙｅｓ）には、処理をステップＳ１０６へ移す。
【０２３２】
一方、ＣＰＵ１０が、遷移直前ファイルを表示する設定になっていないと判断した場合（ステップＳ１０５：Ｎｏ）には、処理をステップＳ１０８へ移す。
【０２３３】
ステップＳ１０６では、ＥＥＰＲＯＭ２３から、遷移直前ファイルを読み出して、当該ファイルの閲覧フラグの値を「１：閲覧中」に設定する。
【０２３４】
次いでＣＰＵ１０は、ＲＡＭ１２の所定アドレスに記憶しているタスクフラグの値を「４：ファイル表示処理」に設定し（ステップＳ１０７）、処理をステップＳ１０８へ移す。
【０２３５】
ステップＳ１０８では、ＣＰＵ１０は、ＥＥＰＲＯＭ２３の所定アドレスに記憶しているシステム終了原因フラグの値を「１：正常終了」に設定する。
【０２３６】
次いでＣＰＵ１０は、ＥＥＰＲＯＭ２３の所定アドレスに記憶している遷移要否フラグの値を「０：遷移表示の必要あり」に設定し（ステップＳ１０９）、さらに、ＥＥＰＲＯＭ２３の所定アドレスに記憶している遷移表示回数フラグの値を「０：表示していない」に設定して（ステップＳ１１０）、分岐前のアドレスに処理を復帰させる。
【０２３７】
次に、図１３にて示したシステムタイマ割込処理のステップＳ２５にて実行されるシステム終了確認処理について図２２を用いて説明する。
【０２３８】
システム終了確認処理において、まずＣＰＵ１０は、ＲＡＭ１２の所定アドレスに記憶されている電圧状態フラグの値を参照する（ステップＳ１２０）。
【０２３９】
次いでＣＰＵ１０は、参照した電圧状態フラグの値が「２：第２閾値Ｖｃ以下」であるか否かについて判断を行う（ステップＳ１２１）。
【０２４０】
ここでＣＰＵ１０が、電圧状態フラグの値が「２：第２閾値Ｖｃ以下」であると判断した場合（ステップＳ１２１：Ｙｅｓ）には、処理をステップＳ１２７へ移す。
【０２４１】
一方、ＣＰＵ１０が、電圧状態フラグの値が「２：第２閾値Ｖｃ以下」ではないと判断した場合（ステップＳ１２１：Ｎｏ）には、処理をステップＳ１２２へ移す。
【０２４２】
ステップＳ１２２においてＣＰＵ１０は、参照した電圧状態フラグの値が「１：閾値Ｖａ以下」であるか否かについて判断を行う。
【０２４３】
ここでＣＰＵ１０が、電圧状態フラグの値が「１：閾値Ｖａ以下」ではないと判断した場合（ステップＳ１２２：Ｎｏ）には、処理を分岐前のアドレスに復帰させる。
【０２４４】
一方、ＣＰＵ１０が、電圧状態フラグの値が「１：閾値Ｖａ以下」であると判断した場合（ステップＳ１２２：Ｙｅｓ）には、処理をステップＳ１２３へ移す。
【０２４５】
次いで、ＣＰＵ１０は、ＥＥＰＲＯＭ２３の所定アドレスに記憶されている遷移要否フラグの値を参照し、値が「０：遷移表示の必要あり」であるか否かについて判断を行う（ステップＳ１２３）。
【０２４６】
ここでＣＰＵ１０が、遷移要否フラグの値が「０：遷移表示の必要あり」ではないと判断した場合（ステップＳ１２３：Ｎｏ）には、処理を分岐前のアドレスに復帰させる。
【０２４７】
一方、ＣＰＵ１０が、遷移要否フラグの値が「０：遷移表示の必要あり」であると判断した場合（ステップＳ１２３：Ｙｅｓ）には、処理をステップＳ１２４へ移す。
【０２４８】
ステップＳ１２４においてＣＰＵ１０は、閲覧中のファイルによる画面表示に代えて、予めファイル指定処理（ステップＳ１５）にて指定した指定ファイルを表示するページ遷移処理を実行する。なお、このページ遷移処理は、後に図２３を用いて詳細に説明する。このページ遷移処理を終えると、ＣＰＵ１０は、処理をステップＳ１２５へ移す。
【０２４９】
ステップＳ１２５においてＣＰＵ１０は、予めユーザにより、指定ファイルを表示した後に携帯型表示端末１をオフ状態に移行する設定とされているか否かについて判断を行う。
【０２５０】
ここでＣＰＵ１０が、オフ状態に移行する設定であると判断した場合（ステップＳ１２５：Ｙｅｓ）には、処理をステップＳ１２７へ移す。
【０２５１】
一方、ＣＰＵ１０が、オフ状態に移行する設定ではないと判断した場合（ステップＳ１２５：Ｎｏ）には、ＥＥＰＲＯＭ２３の所定アドレスに記憶されている遷移要否フラグの値を「１：遷移表示の必要なし」に設定し（ステップＳ１２６）、分岐前のアドレスに処理を復帰させる。
【０２５２】
ステップＳ１２７において、ＣＰＵ１０は、システム終了中である旨を電気泳動表示装置２上に表示する。この表示は、例えば、「バッテリが低下したため、電源を切りました。」など、電池６の電圧低下により携帯型表示端末１をオフ状態としたことをユーザに報知するような内容の表示であれば良い。
【０２５３】
そしてＣＰＵ１０は、ＥＥＰＲＯＭ２３の所定アドレスに記憶されているシステム終了原因フラグの値を「２：電圧低下による終了」に設定し、給電制御部２４に対して電源部２５以外への電力の供給を停止するよう命令して携帯型表示端末１の電源を落とす（ステップＳ１２８）こととなる。
【０２５４】
次に、図２２にて示したシステム終了確認処理のステップＳ１２４にて実行されるページ遷移処理について図２３を用いて説明する。
【０２５５】
ページ遷移処理において、まずＣＰＵ１０は、ＥＥＰＲＯＭ２３の所定アドレスに記憶されている遷移表示回数フラグの値を参照し、値が「０：表示していない」であるか否かについて判断を行う（ステップＳ１３０）。
【０２５６】
ここでＣＰＵ１０が、遷移表示回数フラグの値が「０：表示していない」ではないと判断した場合（ステップＳ１３０：Ｎｏ）には、処理をステップＳ１３３へ移す。
【０２５７】
一方、ＣＰＵ１０が、電圧状態フラグの値が「０：表示していない」であると判断した場合（ステップＳ１３０：Ｙｅｓ）には、処理をステップＳ１３１へ移す。
【０２５８】
ステップＳ１３１においてＣＰＵ１０は、ユーザが任意のファイルを閲覧中の場合、その表示中のファイルをＥＥＰＲＯＭ２３の所定アドレスに記憶する。なお、ＥＥＰＲＯＭ２３に記憶するのは、閲覧中のファイル自体ではなく、当該ファイルのファイル名やディレクトリとしても良い。なお、ＥＥＰＲＯＭ２３と、本ステップＳ１３１を実行するＣＰＵ１０が協働することにより、電気泳動表示装置２の表示を指定ファイルに書き換える直前に、電気泳動表示装置２に表示していたファイル又は当該ファイルを識別する情報を記憶する第２記憶部として機能する。
【０２５９】
そして、ＣＰＵ１０は、同じくＥＥＰＲＯＭ２３の所定アドレスに記憶されている遷移回数フラグの値を「１：１回表示済み」に設定する（ステップＳ１３２）。
【０２６０】
次いで、ＣＰＵ１０は、メモリカード１３に記憶されている各ファイルの中から、指定ファイルフラグの値が「１：指定ファイルである」のファイルのみを選択して読み込みを行う（ステップＳ１３３）。
【０２６１】
次いで、ＣＰＵ１０は、読み込んだ各ファイルの優先順位フラグを参照し、優先順位フラグの値が小さい順、すなわち、優先度が高い順にソートする（ステップＳ１３５）。
【０２６２】
また、ＣＰＵ１０は、ＥＥＰＲＯＭ２３の所定アドレスを参照し、ファイル指定処理（ステップＳ１５）にて分割表示設定画面８６で設定した表示領域分割数フラグの値及び遷移表示回数フラグの値を取得する（ステップＳ１３６）。
【０２６３】
次に、ＣＰＵ１０は、取得した表示領域分割数フラグの値をＸとし、遷移表示回数フラグの値をＹとして、ステップＳ１３５にてソートされた各ファイルの中から、Ｘ（Ｙ−１）＋１番目〜ＸＹ番目までに該当するファイルを抽出する（ステップＳ１３７）。
【０２６４】
次に、ＣＰＵ１０は、抽出したＸ個のファイルのうち、複数ページに亘るファイルについて、複数ページの中から１ページのみを抽出する処理を行う（ステップＳ１３８）。
【０２６５】
具体的には、複数ページに亘るファイルのマーキングフラグの値が「１：マーキングあり」の場合、すなわち、ユーザが過去に閲覧したファイルであり、マーキングも行われているファイルである場合は、マーキングされているページを抽出する。
【０２６６】
また、マーキングフラグの値が「０：マーキングなし」で、かつ、最終閲覧ページフラグの値が「０」でないファイルである場合、すなわち、ユーザが過去に閲覧したファイルであるが、マーキングは行っていないファイルである場合は、最終閲覧ページを抽出する。
【０２６７】
また、最終閲覧ページフラグの値が「０」のファイルである場合、すなわち、ユーザが過去に閲覧したことがないファイルである場合は、当該ファイルの１ページ目を抽出する。
【０２６８】
このようにして、複数ページに亘るファイルの中から１ページのみ抽出する処理を行ったＣＰＵ１０は、Ｘ個のファイルやページを電気泳動表示装置２上に表示する（ステップＳ１３９）。すなわち、１個のファイルやページを表示する場合は画面全体に表示し、２個以上のファイルやページを表示する場合は、表示領域をＸ個に分割してそれぞれのファイルやページを電気泳動表示装置２上に表示する。
【０２６９】
次いで、ＣＰＵ１０は、ＥＥＰＲＯＭ２３の所定アドレスに記憶されている遷移表示回数フラグの値に「１」を加算して（ステップＳ１４０）、処理を分岐前のアドレスに復帰させる。
【０２７０】
このように、本実施形態に係る携帯型表示端末１は、上述してきたフローに従って、動作することとなる。
【０２７１】
上述してきたように、本実施形態に係る携帯型表示端末１は、電池を動作電源として動作し、前記電池からの電力供給が断たれたときでも表示状態を維持する不揮発性表示部と、前記不揮発性表示部を駆動して、前記不揮発性表示部に情報を表示する制御部と、前記不揮発性表示部に表示する情報を記憶する記憶部と、前記記憶部に記憶された情報のうち１以上の情報を指定する情報指定部と、を備え、前記制御部は、前記電池の電圧が所定閾値以下となったとき、前記不揮発性表示部に表示する情報を、前記情報指定部により指定された情報に書き換えることとしたため、内蔵した電池の電圧が所定閾値以下となった場合において、ユーザの所望とする情報を不揮発性表示部に表示することができる。
【０２７２】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【図面の簡単な説明】
【０２７３】
【図１】本実施形態に係る携帯型表示端末の正面図である。
【図２】本実施形態に係る携帯型表示端末の操作概要を示す説明図である。
【図３】本実施形態に係る携帯型表示端末の表示概要を示す説明図である。
【図４】本実施形態に係る携帯型表示端末の動作概要を示す説明図である。
【図５】電池の電圧降下特性を示した説明図である。
【図６】本実施形態に係る携帯型表示端末の表示概要を示す説明図である。
【図７】本実施形態に係る携帯型表示端末の表示概要を示す説明図である。
【図８】本実施形態に係る携帯型表示端末の電気的構成を示したブロック図である。
【図９】本実施形態に係る携帯型表示端末の電気泳動表示装置の正面図である。
【図１０】本実施形態に係る携帯型表示端末の電気泳動表示装置のＩ−Ｉ線（図９）における矢視方向断面図である。
【図１１】本実施形態に係る携帯型表示端末の電気泳動表示装置のＩＩ−ＩＩ線（図９）における矢視方向断面図である。
【図１２】本実施形態に係る携帯型表示端末において実行される処理の動作を示すフローチャートである。
【図１３】本実施形態に係る携帯型表示端末において実行される処理の動作を示すフローチャートである。
【図１４】本実施形態に係る携帯型表示端末において実行される処理の動作を示すフローチャートである。
【図１５】本実施形態に係る携帯型表示端末において実行される処理の動作を示すフローチャートである。
【図１６】本実施形態に係る携帯型表示端末において実行される処理の動作を示すフローチャートである。
【図１７】本実施形態に係る携帯型表示端末において実行される処理の動作を示すフローチャートである。
【図１８】本実施形態に係る携帯型表示端末において実行される処理の動作を示すフローチャートである。
【図１９】本実施形態に係る携帯型表示端末において実行される処理の動作を示すフローチャートである。
【図２０】本実施形態に係る携帯型表示端末において実行される処理の動作を示すフローチャートである。
【図２１】本実施形態に係る携帯型表示端末において実行される処理の動作を示すフローチャートである。
【図２２】本実施形態に係る携帯型表示端末において実行される処理の動作を示すフローチャートである。
【図２３】本実施形態に係る携帯型表示端末において実行される処理の動作を示すフローチャートである。
【図２４】本実施形態に係る携帯型表示端末において表示される画面を示した説明図である。
【図２５】本実施形態に係る携帯型表示端末において表示される画面を示した説明図である。
【図２６】本実施形態に係る携帯型表示端末において表示される画面を示した説明図である。
【図２７】本実施形態に係る携帯型表示端末において表示される画面を示した説明図である。
【符号の説明】
【０２７４】
１    携帯型表示端末
２    電気泳動表示装置
３    操作キー
３ｆ  電源ボタン
６    電池
７    充電部
９    タッチパネル
１０  ＣＰＵ
１１  ＲＯＭ
１２  ＲＡＭ
１３  メモリカード
２２  制御部
２３  ＥＥＰＲＯＭ
２４  給電制御部
２５  電源部
Ｖａ  所定閾値
Ｖｂ  電圧
Ｖｃ  第２閾値
【図２】
2010086089.tif 000003
【図４】
2010086089.tif 000004
【図５】
2010086089.tif 000005
【図６】
2010086089.tif 000006
【図７】
2010086089.tif 000007
【図８】
2010086089.tif 000008
【図９】
2010086089.tif 000009
【図１０】
2010086089.tif 000010
【図１１】
2010086089.tif 000011
【図１２】
2010086089.tif 000012
【図１３】
2010086089.tif 000013
【図１４】
2010086089.tif 000014
【図１５】
2010086089.tif 000015
【図１６】
2010086089.tif 000016
【図１７】
2010086089.tif 000017
【図１８】
2010086089.tif 000018
【図１９】
2010086089.tif 000019
【図２０】
2010086089.tif 000020
【図２１】
2010086089.tif 000021
【図２２】
2010086089.tif 000022
【図２３】
2010086089.tif 000023
【図１】
2010086089.tif 000024
【図３】
2010086089.tif 000025
【図２４】
2010086089.tif 000026
【図２５】
2010086089.tif 000027
【図２６】
2010086089.tif 000028
【図２７】
2010086089.tif 000029